(57)【要約】【課題】第１の表示情報に設定された第２の表示情報へのリンクを介して、当該リンクを設定したときの第２の表示情報の内容を表示する。【解決手段】情報処理装置１０は、第１の表示情報により表示される第１ページ内に第２の表示情報へのリンク機能を設定すると共に、第１の表示情報に対して行う変更内容を表す処理と当該処理を実行するための条件であって第２の表示情報に生じる変化の内容を示す条件とを対応付けてリンク設定情報を生成するリンク設定部１１と、リンク先監視部１２が第２の表示情報の変化を検出すると当該変化に該当する条件に関連付けされている処理を実行する処理制御部１７と、を有する。【選択図】図１
2020170243.tif 000002
【特許請求の範囲】
【請求項１】
第１の表示情報の特定の部分に第２の表示情報へのリンクを設定する設定手段と、
前記設定されたリンクから前記第２の表示情報へのアクセスが制限された場合又は前記第２の表示情報に特定の変化が生じた場合に、前記第１の表示情報を変更する処理を実行する処理手段と、
を有することを特徴とする情報処理装置。
【請求項２】
前記処理手段は、
前記第１の表示情報にアクセスできないようにする処理、
前記リンクが設定された特定の部分とそれ以外の部分を、前記第１の表示情報から削除する処理、
前記リンクが設定された特定の部分のみを、前記第１の表示情報から削除する処理、
のうち１つ以上を含む複数の処理の中から実行する処理を決定することを特徴とする請求項１に記載の情報処理装置。
【請求項３】
前記特定の部分は、編集者によって予め指定された部分又は前記第１の表示情報を解析することによって抽出された部分であることを特徴とする請求項２に記載の情報処理装置。
【請求項４】
前記処理手段は、前記特定の部分を削除する処理を実行する場合、前記第１の表示情報により表示される第１のページにおいて削除した部分以降の表示を繰り上げて表示させるよう処理することを特徴とする請求項２に記載の情報処理装置。
【請求項５】
前記処理手段は、前記第２の表示情報で提供される情報に相当する内容の情報を提供する第３の表示情報を提示する処理を実行することを特徴とする請求項１に記載の情報処理装置。
【請求項６】
前記処理手段は、前記リンクの設定に代わる表現を提示する処理として、前記第２の表示情報で提供される情報を前記第１の表示情報に含める処理を実行することを特徴とする請求項１に記載の情報処理装置。
【請求項７】
前記処理手段は、前記変化が前記第２の表示情報に関わる情報の変化の場合、その変化の内容に対応させて前記第１の表示情報により表示される第１ページの表示の制御を行うことを特徴とする請求項１に記載の情報処理装置。
【請求項８】
前記処理手段は、前記第２の表示情報に関わる情報の変化が予見される場合にも前記第１ページの表示の制御を行うことを特徴とする請求項７に記載の情報処理装置。
【請求項９】
前記第２の表示情報に関わる情報は、前記第２の表示情報により表示される第２ページの使用条件であり、
前記処理手段は、前記使用条件に変化がある場合に前記第１ページの表示を制御することを特徴とする請求項７又は８に記載の情報処理装置。
【請求項１０】
前記第２の表示情報に関わる情報は、前記第２の表示情報により表示される第２ページの使用許可期限であり、
前記処理手段は、前記使用許可期限が到来した場合又は前記使用許可期限に接近した場合に前記第１ページの表示を制御することを特徴とする請求項７又は８に記載の情報処理装置。
【請求項１１】
前記第２の表示情報により表示される第２ページに前記変化が生じた後、前記処理手段が処理を実行する前に、前記処理を実行することに対する承認を要求するリクエストをユーザが使用する端末装置へ送信する送信手段と、
前記ユーザからの前記リクエストに対する承認を受信する受信手段と、
を有し、
前記処理手段は、前記ユーザによる承認に応じて処理を実行することを特徴とする請求項１に記載の情報処理装置。
【請求項１２】
前記処理手段が処理を実行した後の前記第１の表示情報により表示される第１ページのプレビューを前記端末装置に表示させるよう制御する表示制御手段を有することを特徴とする請求項１１に記載の情報処理装置。
【請求項１３】
前記処理手段が処理を実行した後の前記第１の表示情報により表示される第１ページで前記第２の表示情報を使用しなくなった旨を前記第２の表示情報の管理者に通知する通知手段を有することを特徴とする請求項１に記載の情報処理装置。
【請求項１４】
前記処理手段が処理を実行した後、前記通知手段が通知する前に、前記通知手段が通知することに対する承認を要求するリクエストをユーザが使用する端末装置へ送信する送信手段と、
前記ユーザからの前記リクエストに対する承認を受信する受信手段と、
を有し、
前記通知手段は、前記ユーザによる承認に応じて通知することを特徴とする請求項１３に記載の情報処理装置。
【請求項１５】
前記処理手段は、前記第２の表示情報に前記変化が生じた場合、複数の処理を実行することを特徴とする請求項１に記載の情報処理装置。
【請求項１６】
前記処理手段は、前記第１の表示情報を変更する処理に付加的な処理を含めることを特徴とする請求項１に記載の情報処理装置。
【請求項１７】
コンピュータを、
第１の表示情報により表示される第１ページ内に第２の表示情報へのリンク機能を設定する設定手段、
前記リンク機能によって前記第２の表示情報が表示されなくなった場合又は前記第１の表示情報により表示される前記第２の表示情報に変化が生じた場合、第１の表示情報を変更する処理を実行する処理手段、
として機能させるためのプログラム。
【発明の詳細な説明】
【技術分野】
【０００１】
本発明は、情報処理装置及びプログラムに関する。
【背景技術】
【０００２】
コンテンツ作成者は、あるコンテンツ（例えば、コンテンツＡ）を作成する際に他のコンテンツ（例えば、コンテンツＢ）を引用したりリンクしたりする場合がある。コンテンツＡの閲覧者は、コンテンツＡ内のコンテンツＢへのリンクの設定を選択することで、コンテンツＢの内容を参照することが可能となる。ただ、コンテンツＢは、コンテンツＡを作成した時点と同じ状態で存在し続けるとは限らない。例えば、コンテンツＢの内容が変更されることのみならず、コンテンツＢが期間限定で公開されていたり、会員限定のコンテンツに変更されたりすることもある。
【先行技術文献】
【特許文献】
【０００３】
【特許文献１】特開２００３−２８０９７４号公報
【特許文献２】特開２００９−１６９７８８号公報
【特許文献３】特開２０１０−２５７２０３号公報
【発明の概要】
【発明が解決しようとする課題】
【０００４】
第１の表示情報に設定された第２の表示情報へのリンクを介して、当該リンクを設定したときの第２の表示情報の内容を表示できない場合がある。
【課題を解決するための手段】
【０００５】
本発明に係る情報処理装置は、第１の表示情報の特定の部分に第２の表示情報へのリンクを設定する設定手段と、前記設定されたリンクから前記第２の表示情報へのアクセスが制限された場合又は前記第２の表示情報に特定の変化が生じた場合に、前記第１の表示情報を変更する処理を実行する処理手段と、を有することを特徴とする。
【０００６】
また、前記処理手段は、前記第１の表示情報にアクセスできないようにする処理、前記リンクが設定された特定の部分とそれ以外の部分を、前記第１の表示情報から削除する処理、前記リンクが設定された特定の部分のみを、前記第１の表示情報から削除する処理、のうち１つ以上を含む複数の処理の中から実行する処理を決定することを特徴とする。
【０００７】
また、前記特定の部分は、編集者によって予め指定された部分又は前記第１の表示情報を解析することによって抽出された部分であることを特徴とする。
【０００８】
また、前記処理手段は、前記特定の部分を削除する処理を実行する場合、前記第１の表示情報により表示される第１のページにおいて削除した部分以降の表示を繰り上げて表示させるよう処理することを特徴とする。
【０００９】
また、前記処理手段は、前記第２の表示情報で提供される情報に相当する内容の情報を提供する第３の表示情報を提示する処理を実行することを特徴とする。
【００１０】
また、前記処理手段は、前記リンクの設定に代わる表現を提示する処理として、前記第２の表示情報で提供される情報を前記第１の表示情報に含める処理を実行することを特徴とする。
【００１１】
また、前記処理手段は、前記変化が前記第２の表示情報に関わる情報の変化の場合、その変化の内容に対応させて前記第１ページの表示の制御を行うことを特徴とする。
【００１２】
また、前記処理手段は、前記第２の表示情報に関わる情報の変化が予見される場合にも前記第１の表示情報により表示される第１ページの表示の制御を行うことを特徴とする。
【００１３】
また、前記第２の表示情報に関わる情報は、前記第２の表示情報により表示される第２ページの使用条件であり、前記処理手段は、前記使用条件に変化がある場合に前記第１ページの表示を制御することを特徴とする。
【００１４】
また、前記第２の表示情報に関わる情報は、前記第２の表示情報により表示される第２ページの使用許可期限であり、前記処理手段は、前記使用許可期限が到来した場合又は前記使用許可期限に接近した場合に前記第１ページの表示を制御することを特徴とする。
【００１５】
また、前記第２の表示情報により表示される第２ページに前記変化が生じた後、前記処理手段が処理を実行する前に、前記処理を実行することに対する承認を要求するリクエストをユーザが使用する端末装置へ送信する送信手段と、前記ユーザからの前記リクエストに対する承認を受信する受信手段と、を有し、前記処理手段は、前記ユーザによる承認に応じて処理を実行することを特徴とする。
【００１６】
また、前記処理手段が処理を実行した後の前記第１の表示情報により表示される第１ページのプレビューを前記端末装置に表示させるよう制御する表示制御手段を有することを特徴とする。
【００１７】
また、前記処理手段が処理を実行した後の前記第１の表示情報により表示される第１ページで前記第２の表示情報を使用しなくなった旨を前記第２の表示情報の管理者に通知する通知手段を有することを特徴とする。
【００１８】
また、前記処理手段が処理を実行した後、前記通知手段が通知する前に、前記通知手段が通知することに対する承認を要求するリクエストをユーザが使用する端末装置へ送信する送信手段と、前記ユーザからの前記リクエストに対する承認を受信する受信手段と、を有し、前記通知手段は、前記ユーザによる承認に応じて通知することを特徴とする。
【００１９】
また、前記処理手段は、前記第２の表示情報に前記変化が生じた場合、複数の処理を実行することを特徴とする。
【００２０】
また、前記処理手段は、前記第１の表示情報を変更する処理に付加的な処理を含めることを特徴とする。
【００２１】
本発明に係るプログラムは、コンピュータを、第１の表示情報の特定の部分に第２の表示情報へのリンクを設定する設定手段、前記設定されたリンクから前記第２の表示情報へのアクセスが制限された場合又は前記第２の表示情報に特定の変化が生じた場合に、前記第１の表示情報を変更する処理を実行する処理手段、として機能させる。
【発明の効果】
【００２２】
請求項１に記載の発明によれば、第１の表示情報に設定された第２の表示情報へのリンクを介して、当該リンクを設定したときの第２の表示情報の内容を表示することができる。
【００２３】
請求項２に記載の発明によれば、用意されている処理の中から第１の表示情報を変更する処理を選択して実行することができる。
【００２４】
請求項３に記載の発明によれば、特定の部分をユーザに指定させるか、あるいは解析することで特定することができる。
【００２５】
請求項４に記載の発明によれば、表示される第１ページにおいて削除した部分が空白領域とならないようにすることができる。
【００２６】
請求項５に記載の発明によれば、第１ページを閲覧するユーザに第２の表示情報で提供する情報と同じ内容の第３の表示情報を提示することができる。
【００２７】
請求項６に記載の発明によれば、第１の表示情報に第２の表示情報で提供する情報を含めることができる。
【００２８】
請求項７に記載の発明によれば、第２の表示情報の内容ではなく第２の表示情報に関わる情報に対する変化にも対応することができる。
【００２９】
請求項８に記載の発明によれば、第２の表示情報に関わる情報に変化が起こる前から第１ページの表示を制御することができる。
【００３０】
請求項９に記載の発明によれば、第２ページの使用条件の変更に応じて第１ページを表示させないようにすることができる。
【００３１】
請求項１０に記載の発明によれば、前記第２ページの使用許可期限の到来又は接近に応じて第１ページを表示させないようにすることができる。
【００３２】
請求項１１に記載の発明によれば、ユーザによる承認を受けてはじめて処理を実行することができる。
【００３３】
請求項１２に記載の発明によれば、処理の実行結果をユーザに確認させることができる。
【００３４】
請求項１３に記載の発明によれば、第２の表示情報を使用しなくなった旨を第２の表示情報の管理者に知らせることができる。
【００３５】
請求項１４に記載の発明によれば、ユーザによる承認を受けてはじめて第２の表示情報の管理者に通知することができる。
【００３６】
請求項１５に記載の発明によれば、複数の処理を実行することができる。
【００３７】
請求項１６に記載の発明によれば、第１の表示情報を変更する処理に付加的な処理を含めて実行することができる。
【００３８】
請求項１７に記載の発明によれば、第１の表示情報に設定された第２の表示情報へのリンクを介して、当該リンクを設定したときの第２の表示情報の内容を表示することができる。
【図面の簡単な説明】
【００３９】
【図１】本発明に係る情報処理装置の一実施の形態を示すブロック構成図である。
【図２】本実施の形態においてリンクが設定される第１の表示情報とリンク先となる第２の表示情報の各表示例を示す図である。
【図３】本実施の形態においてコンテンツにリンクを設定するときの処理を示すフローチャートである。
【図４】本実施の形態において第１の表示情報にリンクに関する情報を設定する際の画面表示の一例を示す図である。
【図５】本実施の形態において、指定部位をコンテンツ作成者に指定させるためのリンク設定画面の表示例を示す図である。
【図６】本実施の形態において、処理が実行される前と後の第１の表示情報の表示例を示す図である。
【図７】本実施の形態において、リンク先の変化を検出する範囲を指定するための画面表示例を示す図である。
【図８】本実施の形態において、表示される情報の差し替え処理を実行する前と後の各第１の表示情報の一例を示す図である。
【図９】本実施の形態において、第１の表示情報が動画データ又は音声データの場合のリンクの設定を説明するための概念図である。
【発明を実施するための形態】
【００４０】
以下、図面に基づいて、本発明の好適な実施の形態について説明する。
【００４１】
図１は、本発明に係る情報処理装置の一実施の形態を示すブロック構成図である。本実施の形態における情報処理装置１０は、コンテンツを表示可能なウェブブラウザやアプリケーションを搭載する。コンテンツの例には、ウェブページ、Ｗｏｒｄ、Ｅｘｃｅｌ、ＰＤＦなど様々な形式の文書、画像、ビデオ、音声が含まれる。表示されるコンテンツの元となる情報を「表示情報」と呼ぶ。「表示情報」の「表示」とは、表にして示すことであり、情報を視認可能に示すことに限定されるものではなく、前述した音声のように視覚以外の感覚にてユーザに示すことを含む。コンテンツがウェブページの場合、典型的な表示情報はＨＴＭＬ（ＨｙｐｅｒＴｅｘｔ  Ｍａｒｋｕｐ  Ｌａｎｇｕａｇｅ）で記述されたページデータである。表示情報にはその他にも文書を表示するための文書データ、画像を表示するための画像データ、動画を表示するための動画データ、音声を再生するための音声データなどが含まれる。
【００４２】
ブラウザやアプリケーションは、表示情報に基づいてコンテンツを画面に表示する。ウェブページは、ＨＴＭＬで記述されたページデータをブラウザが読み込んで表示される。コンテンツの表示情報にはリンクが設定されている場合がある。例えば、ページデータのテキストの一部にハイパーリンクが設定されており、ハイパーリンクが設定されている文字列は、ハイパーリンク（以下、単に「リンク」ともいう）が設定されていることがわかるように、リンクが設定されていない文字列とは異なる色で表示されたり、下線部付きで表示されたりすることが多い。多くの場合、閲覧者がリンクを有する部分にカーソルを合わせると、視覚的なフィードバックが行われ、リンク先のウェブページのｈｔｔｐアドレスがポップアップで表示されたり、カーソルの見た目が変化したりする。リンクは必ずしも文字列に設定される必要はなく、スニペットや画像、動画などに設定されてもよい。また、リンクは視認可能なものでなくてもよい。例えば、音声などが挙げられる。リンク先を開くには、画面上でリンクに関する情報を操作する必要はない。例えば、音声やジェスチャー操作が挙げられる。第１の表示情報の再生と関連してリンク先が自動的に開くようなものも含む。
【００４３】
第１の表示情報（例えば、ページデータＡ）に設定されているハイパーリンクが第２の表示情報（例えば、ページデータＢ）へのリンクである場合、閲覧者がページデータＡに対応するコンテンツ（例えば、ウェブページＡ）のページデータＢへのリンク（例えば、文字列に設定されている）を選択すると、ページデータＢに対応するコンテンツ（例えば、ウェブページＢ）が表示される。
【００４４】
このように、第１の表示情報は１のリンクのリンク元の表示情報である。第２の表示情報は、該１のリンクのリンク先の表示情報である。第１の表示情報と第２の表示情報の種類は同じであっても異なっていてもよい。また、種類の組み合わせも自由である。例えば、第１の表示情報と第２の表示情報がともにウェブページのページデータの場合もあれば、ともに動画データの場合もある。また、第１の表示情報が動画データで第２の表示情報がウェブページのページデータである場合もあれば、第１の表示情報がウェブページのページデータで、第２の情報がＰＤＦの文書データの場合もある。
【００４５】
以下の実施の形態では、図２で示すページ２Ａに対応するＨＴＭＬデータを第１の表示情報、ページ２Ｂに対応するＨＴＭＬデータを第２の表示情報として説明する。また、第１の表示情報に基づいて表示されるコンテンツを「ソースコンテンツ」と呼び、第２の表示情報に基づいて表示されるコンテンツを「ターゲットコンテンツ」と呼ぶこともある。
【００４６】
本実施の形態における情報処理装置１０は、パーソナルコンピュータ（ＰＣ）等の従前から存在する汎用的なハードウェア構成で実現できる。すなわち、情報処理装置１０は、ＣＰＵ、ＲＯＭ、ＲＡＭ、ハードディスクドライブ（ＨＤＤ）、入力手段として設けられたマウスとキーボード、及び表示手段として設けられたディスプレイをそれぞれ接続する入出力コントローラ、通信手段として設けられたネットワークインタフェースを内部バスに接続して構成される。
【００４７】
情報処理装置１０は、図１に示すようにリンク設定部１１、リンク先監視部１２、ユーザインタフェース（ＵＩ）部１３、表示制御部１４、承認処理部１５、通知部１６、処理制御部１７及び記憶部１８を有している。なお、本実施の形態の説明に用いない構成要素については、図１から省略している。
【００４８】
リンク設定部１１は、第１の表示情報の特定部分に第２の表示情報へのリンク機能を設定する。リンク先監視部１２は、第２の表示情報を監視し、第２の表示情報の変化を検出する。監視は常時おこなってもよいし、特定のタイミング（例：５分に１回、１ヶ月に１回、リンクがクリックされる度、ある期間の中で最初にリンクがクリックされるとき）でおこなってもよい。具体的には、リンク先監視部１２は、過去のある時点の状態の第２の表示情報を保存し、最新の状態の第２の表示情報と比較することによって変化を検出してもよいし、第２の表示情報に変化があった場合に通知を受け取れるシステムと連携することによって変化を検出してもよい。その両方を行ってもよい。
【００４９】
特定の変化には、例えば次のようなものが含まれる。
・第２の表示情報が丸ごと削除されること（ＵＲＬ自体を削除することを含む）
・第２の表示情報が変更されること（文字、画像、動画、音声などが第２の表示情報に新たに追加されること、および文字、画像、動画、音声などが第２の表示情報から部分的に削除されることを含む）
【００５０】
ユーザインタフェース部１３は、情報処理装置１０のユーザからの入力を受け付け、また、情報を提示する。ユーザインタフェース部１３は、ネットワークを介してユーザからの入力を受け付け、また情報を提示するようにしてもよい。表示制御部１４は、ディスプレイやネットワークを介して接続されている端末装置、例えばコンテンツ作成者や管理者等が使用する端末装置の表示制御を行う。承認処理部１５は、コンテンツ作成者等に第１の表示情報の変更の承認を受けるなどの承認処理を実行する。通知部１６は、第１の表示情報を変更する処理を実行した後、第２の表示情報を使用しなくなった旨を第２の表示情報の管理者に通知する。処理制御部１７は、前述した情報処理装置１０の各構成要素１１〜１６と連携動作し、第１の表示情報を変更する処理等の処理制御を行う。記憶部１８には、第１の表示情報の変更処理等に用いる変更の条件や当該条件に対応する処理の内容等第１の表示情報の変更に関する情報が記憶される。
【００５１】
情報処理装置１０における各構成要素１１〜１７は、情報処理装置１０を形成するコンピュータと、コンピュータに搭載されたＣＰＵで動作するプログラムとの協調動作により実現される。また、記憶部１８は、情報処理装置１０に搭載されたＨＤＤにて実現される。あるいは、ＲＡＭ又は外部にある記憶手段をネットワーク経由で利用してもよい。
【００５２】
また、本実施の形態で用いるプログラムは、通信手段により提供することはもちろん、ＣＤ−ＲＯＭやＵＳＢメモリ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００５３】
次に、本実施の形態における動作について説明する。最初に、コンテンツにリンクを設定するときの処理について図３に示すフローチャートを用いて説明する。
【００５４】
まず、コンテンツ作成者は、従前からある手法を用いてコンテンツを作成する（ステップ１０１）。そして、作成したコンテンツの一部にハイパーリンクを設定する場合、本実施の形態においては、以下のように処理する。なお、コンテンツ作成者は、情報処理装置１０を使用してリンクの設定処理を行ってもよいが、本実施の形態では、情報処理装置１０とネットワークを介して接続されている端末装置からリンクの設定処理を行う場合を想定して説明する。
【００５５】
図４は、第１の表示情報にリンクに関する情報を設定する際の画面表示の一例を示す図である。具体的には、ページデータを編集するためのエディタ画面の一例である。編集者はこのエディタ画面からページデータに対して文字、画像、動画の追加や削除を行ったり、特定の文字列や画像にリンクを設定したりすることができる。エディタにはウェブページの見た目に近い状態で編集するエディタ（ビジュアルエディタと呼ばれることが多い）と、ＨＴＭＬそのままの状態で編集するエディタ（テキストエディタと呼ばれることが多い）がある。リンクの設定はどちらのエディタで行ってもよい。図４は、ビジュアルエディタの一例である。
【００５６】
図４に示すように、コンテンツ作成者はエディタ画面上で閲覧コンテンツにリンクとリンクに関する情報を設定する。具体的には、コンテンツ作成者は、リンクを設定したい文字列（図４に示す例では「こちらのページ」）２１を選択した後、第１の表示情報２２の表示画面の上部に配置されているリンク設定ボタン２３をクリック選択する。このコンテンツ作成者による選択操作に応じて、リンク設定部１１は、リンク設定画面２４を表示する（ステップ１０２）。リンク設定画面２４に条件及び処理として表示される選択項目は、記憶部１８に予め記憶されている。
【００５７】
なお、リンク設定画面２４を表示させるときの情報処理装置１０における動作は、厳密には、ユーザインタフェース部１３がネットワークを介してコンテンツ作成者による操作を受け付けると、処理制御部１７は、受け付けられた操作がリンク設定ボタン２３の選択操作と認識し、この認識に応じてリンク設定部１１にリンク設定処理の実行を指示する。リンク設定部１１は、処理制御部１７からの指示に応じてリンク設定画面２４の表示を表示制御部１４に指示し、表示制御部１４は、リンク設定部１１からの指示に応じてリンク設定画面２４を第１の表示情報２２と合わせてユーザインタフェース部１３にコンテンツ作成者の端末装置に表示させる。つまり、ユーザインタフェース部１３は、ネットワークを介して画面表示に必要な情報を送信する。ただ、以降の説明では、説明の便宜上、リンク設定部１１はリンク設定画面２４を表示する、などのように端的に記述する。後述する表示に関する他の処理においても同様である。
【００５８】
次に、コンテンツ作成者がリンク設定画面２４から設定する内容について説明する。
【００５９】
コンテンツ作成者は、表示されたリンク設定画面２４から、文字列２１に対応付ける「リンク先アドレス」を入力する（ステップ１０３）。「テキスト」には、リンクを設定する第１の表示情報中の文字列２１を入力する。なお、コンテンツ作成者が第１のページ上でリンクを設定する文字列２１を指定しているので、リンク設定部１１がその文字列２１を抽出して「テキスト」に自動設定してもよい。コンテンツ作成者が「別タブで開く」のチェックボックスにチェックを入力すると、リンク先ページは、第１の表示情報２２が表示されているタブとは異なるタブに表示される。
【００６０】
次に、リンク設定画面２４におけるリンク自動処理設定の領域では、第２の表示情報の変化が検出された場合に実行する処理について設定する。具体的には、「条件」と「処理」を対応付けて設定する（ステップ１０４）。「処理」には、第１の表示情報を変更する処理がコンテンツ作成者により選択されて設定される。「条件」は、当該処理を実行させるための条件であり、具体的には、リンク先監視部１２によって検出される第２の表示情報又はターゲットコンテンツの変化の内容である。
【００６１】
図４には、条件として「リンク先ページが削除された場合」及び「リンク先ページにリダイレクトが設定された場合」の２条件を選択可能な条件として表示されている例が示されている。もちろん、条件として例示したもの以外の条件を設定してもよい。この２条件のいずれかに該当する変化が生じると、リンク先ページは（つまり、ターゲットコンテンツ）は今まで通りに、つまり、第１の表示情報の作成時点におけるリンク先ページの表示内容と同じ内容で表示されない状態になる。「リンク先ページが削除された場合」は、リンク先ページ、つまり、ターゲットコンテンツが削除された場合である。「指定した時期が経過した場合」は、契約等により指定された終期（例えば、使用許可期限）に達した場合である。「リンク先ページにリダイレクトが設定された場合」は、リンク先アドレスが変更された場合等である。
【００６２】
また、図４には、処理として「リンクが設定された部位を削除」、「リンクが設定された部位と該部位を含む段落を削除」、「リンクが設定された部位と指定部位を削除」及び「コンテンツ自体を削除」の４条件を選択可能な条件として表示されている例が示されている。もちろん、処理として例示したもの以外の処理を設定してもよい。「リンクが設定された部位を削除」は、編集者（例えば、上記コンテンツ作成者）が、リンクが設定された部位（図４に示す文字列２１）のみを削除する。「リンクが設定された部位と該部位を含む段落を削除」は、編集者が、第１の表示情報に記述されている文章が段落に分けられている場合、リンクが設定されている部位と、リンクが設定されている部位が位置する段落に含まれるリンクが設定されていない部位との両方を削除する。このように、第１の表示情報が段落等の複数の領域に分けて記述されている場合、リンクが設定されている部位と、リンクが設定されている部位が位置する領域に含まれる、リンクが設定されていない部位との両方を削除する領域単位に削除する。「リンクが設定された部位と指定部位を削除」は、詳細は例を挙げて後述するが、編集者が、リンクが設定されている部位と、リンクが設定されていない部位の中からユーザが指定した部位との両方を削除する。「コンテンツ自体を削除」は、編集者が、第１の表示情報自体を削除することによって閲覧者が第１の表示情報をアクセスできないようにする。なお、閲覧者は、上記削除を行う編集者と別人物でもよいし、同一人物でもよい。
【００６３】
本実施の形態では、図４に示すリンク設定画面から第１の表示情報を変更する処理を実行するための条件及びその変更する処理を組にして設定する。処理に紐付ける条件は、必ずしも１つに限定する必要はなく。条件ボタン２５を選択して一の処理に対し複数の条件を設定するようにしてもよい。また、処理ボタン２６を選択して、一の条件に対し複数の処理を設定するようにしてもよい。
【００６４】
また、一のリンクに対して、複数の条件と処理の組を設定してもよい。例えば、条件としてｍ（ｍ≧２）個の条件項目及び処理としてｎ（ｎ≧２）個の処理項目がそれぞれ設けられている場合において、ｍ個の条件項目及びｎ個の処理項目の中からそれぞれ１つ以上の項目を選択する。複数の項目を選択する場合、選択した項目の並び順によって、あるいは優先順位を指定できるようにするなどして、各項目に優先順位を設定できるようにしてもよい。
【００６５】
また、ある条件Ｃに合致した場合は処理Ａを、条件Ｃに合致しない場合は処理Ｂを、それぞれ実行するなどのように条件により分岐できるようにしてもよい。あるいは、検出値としてソースコンテンツへの訪問者数が所定の閾値以上の場合は第２の表示情報に代わるコンテンツにリンク先を変更し、訪問者数が閾値に満たない場合には第２の表示情報へのリンクを削除する、などのように値の設定を伴うような複雑な条件を設定できるようにしてもよい。
【００６６】
コンテンツ作成者が条件、当該条件に紐付ける処理を設定した後、決定ボタン２７を選択すると、リンク設定部１１は、設定された条件及び処理に関する情報（以下、「リンク設定情報」）を第１の表示情報に紐付けて記憶部１８に保存する（ステップ１０５）。
【００６７】
リンク先監視部１２は、第２の表示情報を監視し、第２の表示情報に変化が生じた場合、処理制御部１７は、リンク設定情報の設定内容に従って変化の内容（つまり、リンク設定情報に設定されている条件のうち、合致する条件）に応じた処理を実行することで第１の表示情報を更新し、これに応じてソースコンテンツの表示内容も更新される。
【００６８】
ここで、第２の表示情報（又はターゲットコンテンツ）において生じる「変化」というのは、第２の表示情報が丸ごと削除されること、第２の表示情報の内容の変更（追加、部分的な削除、またはその両方）が一般的である。ただ、第２の表示情報の記述内容の変更とはいっても、例えば誤字脱字に伴う改訂等は、実質的な変更ではない。従って、リンク先監視部１２又は処理制御部１７は、第２の表示情報の記述内容の変更が、例えば所定数以下の文字数の変更、あるいは記述量全体に対する変更した量（例えば、文字数等）から算出される変更率が所定数以下の場合、本実施の形態でいう「変化」とみなさない。
【００６９】
また、第２の表示情報（又はターゲットコンテンツ）における「主要部分」以外の変化は、本実施の形態でいう「変化」とみなさない。「主要部分」というのは、第２の表示情報が提供する情報の主要部分であり、例えば、一般的なウェブページにおける「記事の部分」や、動画サイトにおける「動画再生領域」が相当する。ヘッダー、フッター、サイドバー、サブメニュー、パンくずリスト、コメント入力欄、検索ボックスなど、サイト内の複数のページに対して固定されている要素や、コメント表示欄、パーソナライズド広告欄、関連記事や関連動画を動的に表示させる欄などに表示される情報は、主要部分に相当しない。
【００７０】
更に、第２の表示情報が提供する情報の意味にまで踏み込んで変化を検出するようにしてもよい。例えば、第２の表示情報の内容が変更された場合でも、提供する情報の内容に変化がない場合には、変化に該当しないと判断する。あるいは、第１の表示情報と第２の表示情報との類似度を既知の手法にて求めておき、第２の表示情報に変化が生じた場合でも、変化の検出前と検出後の第１の表示情報との各類似度に所定の閾値以上の差異が生じなかった場合、本実施の形態でいう「変化」とみなさないようにしてもよい。
【００７１】
ところで、リンクを設定する部位、例えば文中のテキスト（図４に示す例の文字列２１）、サムネイル、写真、動画等によって、リンク先ページを表示させないようにするための適切な処理の内容が変わる場合がある。そのため、リンクを設定する部位の特性に応じて、コンテンツ作成者がリンク設定画面２４に選択可能な処理として表示する処理の選択肢の構成を変えてもよい。
【００７２】
例えば、リンクを設定する部分が文または段落内の文字である場合、リンクの設定部位だけを削除すると、文法的・意味的に変な記述となってしまう可能性が高い。図２に示す文字列２１のみを削除する場合がこれに該当する。つまり、リンクを設定する部分だけを削除するという処理は不適切である可能性が高い。そのため、「リンクが設定された部位を削除」は、コンテンツ作成者に選択肢として提示せず、「リンクが設定された部位と該部位を含む段落を削除」等、適切と考えられる選択肢のみを、実行する処理の候補として提示するようにしてもよい。なお、段落内の文字であっても箇条書きの場合はこれに該当しない。
【００７３】
また、別の例として、リンクを設定する部分が段落を示す<p></p>タグ以外のタグの中にある場合、「リンクが設定された部位と該部位を含む段落を削除」は選択肢として提示せず、「リンクが設定された部位を削除」等、適切と考えられる選択肢のみを選択可能な処理の候補として提示するようにしてもよい。
【００７４】
なお、本実施の形態では、リンク設定のためのポップアップ画面（つまり、図４に示すリンク設定画面２４）が開いてコンテンツ作成者がその画面から必要事項を入力若しくは選択して設定しているが、これ以外の方法でリンクが設定されてもよい。例えば、リンクの設定に必要な処理の一部または全部は自動化されてもよい。具体的な他のリンク設定方法の例を挙げると、ウェブサイト作成ツールの中には、Ｔｗｉｔｔｅｒ（登録商標）のツイートやＹｏｕｔｕｂｅ（登録商標）の動画のＵＲＬ（Ｕｎｉｆｏｒｍ  Ｒｅｓｏｕｒｃｅ  Ｌｏｃａｔｏｒ）をエディタ内に貼り付けるだけで、クリック可能なリンクを有するツイートや動画を自動的にページに埋め込んでくれる機能を有するものがある。さらに、動画内の人物が話す内容を音声解析して商品名を抽出し、商品データベースに問い合わせ、データベースから返ってきたリンクを、動画内の商品名をしゃべっている辺りの部分に設定する、という一連の処理も、既存の技術を組み合わせて自動化することもできる。
【００７５】
図５は、図４に示すリンク設定画面２４から処理として「リンクが設定された部位と指定部位を削除」が選択された場合に指定部位をコンテンツ作成者に指定させるためのリンク設定画面２４の表示例を示す図である。
【００７６】
「リンクが設定された部位と指定部位を削除」が選択されると、リンク設定部１１は、指定部位指定領域２８をリンク設定画面２４に表示し、更に指定部位指定領域２８に第１の表示情報を表示する。そして、指定部位指定領域２８の中から指定部位をコンテンツ作成者に指定させる。図５では、指定された範囲、つまり指定部位を白黒反転させて表示した例を示している。具体的には、リンクが設定された文字列「こちらのページ」を含む範囲「※ＡＢＣショッピングの・・・ください。」が指定部位として指定された例が示されている。
【００７７】
本実施の形態では、リンクが設定された文字列「こちらのページ」を含む特定の部分をコンテンツ作成者に指定させるようにしたが、例えば、リンク設定部１１が第１の表示情報を解析して、リンクが設定された文字列を含む一文を特定の部分として自動抽出し、その抽出した特定の部分を指定部位として自動的に設定するようにしてもよい。
【００７８】
図６には、この設定に基づき処理が実行される前と後の第１の表示情報の表示例が示されている。指定部位削除前後の表示例を比較してみると明らかなように、当該処理に対応する条件に合致する変化が生じたとすると、図５において指定部位として選択された記述２９が削除されて表示される。
【００７９】
指定部位を削除して第１の表示情報を表示する場合、処理制御部１７は、第１の表示情報において削除した部分以降の表示、具体的には、「１．欲しい商品をかごに入れます。」以降の表示を繰り上げて表示させるよう処理する。これにより、特定の部分を削除したことに伴いソースコンテンツの見栄えが悪化することを回避できる。
【００８０】
ところで、上記表示例によると、ソースコンテンツの閲覧者は、指定部位を削除する前の第１の表示情報対応するソースコンテンツ上からリンクが設定された文字列２１を選択したときにリンク先ページが表示されないという不具合な状態を回避できる。但し、リンク先ページから得られるはずの情報が参照できなくなる。そこで、次のように対処してもよい。
【００８１】
コンテンツ作成者がリンク設定画面２４のリンク先アドレスに第２の表示情報の格納先のアドレス情報を入力すると、リンク設定部１１は、第２の表示情報の記述内容を解析すると共に、インターネット上のページを解析して、第２の表示情報で提供される情報と同じ内容の情報を提供するページに対応するコンテンツ（例えば、第３の表示情報）を事前に選定しておく。そして、リンク先アドレスを第２の表示情報の格納先から第３の表示情報の格納先へ変更するという内容の処理を、リンク設定画面２４から選択可能な処理として記憶部１８に事前に登録しておく。そして、当該処理が選択されると、リンク設定部１１は、当該処理と選択された条件とを関連付けてリンク設定情報を生成する。
【００８２】
ここで、現在、第２の表示情報において、設定した条件に合致する変化が生じた場合、処理制御部１７は、リンク先を第２の表示情報から第３の表示情報に切り替える処理を実行する。このようにして、ソースコンテンツを閲覧するユーザに対して、第２の表示情報が提供していた情報と同じ内容の情報を引き続き提示することが可能となる。
【００８３】
なお、上記説明では、コンテンツ作成者がリンク設定画面２４のリンク先アドレスに第２の表示情報の格納先のアドレス情報を入力した時点で、第３の表示情報を探し出すとしたが、第２の表示情報の記述内容を取得しておき、第２の表示情報に設定した条件に合致する変化が生じたタイミングで第３の表示情報を選定するようにしてもよい。
【００８４】
あるいは、第２の表示情報が提供していた情報を第１の表示情報に組み込むよう第１の表示情報を変更する処理を行ってもよい。すなわち、コンテンツ作成者がリンク設定画面２４のリンク先アドレスに第２の表示情報の格納先のアドレス情報を入力すると、リンク設定部１１は、第２の表示情報の記述内容を取得して第１の表示情報に組み込む組込情報を生成する。そして、第２の表示情報から得られる情報を第１の表示情報に組み込むという内容の処理を、リンク設定画面２４から選択可能な処理として記憶部１８に事前に登録しておく。そして、当該処理が選択されると、リンク設定部１１は、当該処理と選択された条件とを関連付けてリンク設定情報を生成する。
【００８５】
ここで、第２の表示情報において、設定した条件に合致する事象の変化が生じた場合、処理制御部１７は、リンクが設定されている部位を削除すると共に、その削除した部分若しくは適当な位置に組込情報を組み込む。このようにして、ソースコンテンツを閲覧するユーザに対して、第２の表示情報が提供していた情報と同じ内容の情報を第１の表示情報において提示することが可能となる。
【００８６】
以上説明したように、リンクが設定されている文字列２１が表示されなくなった場合でも、第２の表示情報から得られる情報をユーザに提示することが可能となる。
【００８７】
ところで、上記説明では、第２の表示情報全体を変化の検出先としていた。ただ、実際には、第２の表示情報全体ではなく一部分の変化に限定してもよい場合がある。例えば、図２に示す第１の表示情報の表示例をみると、会員登録に関する情報を閲覧者（具体的には、「会員登録がお済みでない方」）に提供するために、リンク先ページを参照させるようにしている。つまり、リンク先ページが提供する情報のうち会員登録に関する情報の変更は検出する必要があるのに対し、会員登録に関する情報以外の情報の変更の有無はそれほど関係ないと考えられる。そこで、リンク先ページにおいて変化の検出対象とする部位を限定できるようにした。変化の検出対象とする情報が記載されている部位は、ユーザに指定させてもよいし、第２の表示情報を自動解析することにより抽出させるようにしてもよい。
【００８８】
図７には、リンク設定画面２４からコンテンツ作成者に条件として「リンク先の指定部位の内容が変更された場合」が選択された場合の画面表示例が示されている。これは、前述したリンク先ページにおいて変化の検出対象とする部位をユーザに指定させる場合（つまり、リンク先の指定部位に限定させる場合）の具体例に相当する。リンク設定画面２４からこの条件が選択されると、リンク設定部１１は、指定部位指定領域３０をリンク設定画面２４に表示し、更に指定部位指定領域３０にリンク先ページを表示する。そして、指定部位指定領域３０の中から指定部位をコンテンツ作成者に指定させる。図７では、ドットパターンにてユーザにより指定された範囲を示している。具体的には、会員登録に関連する文字列「ＡＢＣショッピングへの会員登録」が指定部位として指定された例が示されている。このように設定することで、リンク先監視部１２は、第２の表示情報の該当する部分のみを変化の検出対象の範囲として監視する。
【００８９】
変化の検出に関し、上記説明では、リンク先監視部１２における変化の検出対象の範囲を第２の表示情報の記述全体又は一部として説明した。ただ、第２の表示情報そのものに変化が生じていなくても、第２の表示情報に関わる情報に変化が生じた場合、この変化を第２の表示情報の変化に含めるようにし、第２の表示情報に関わる情報の変化の内容に対応させて第１の表示情報の表示の制御を行うようにしてもよい。以下、この点について説明する。なお、この場合、リンク先監視部１２は、第２の表示情報に関わる情報に対しても変化の検出対象として監視することになる。例えば、インターネット上のコンテンツを管理している企業や団体が、各コンテンツの使用条件や使用料を検索できるサービスを提供している場合、そのサービスに接続してリンク先の第２の表示情報の使用条件や使用料を監視することが考えられる。
【００９０】
監視の結果、例えば、第２の表示情報を第１の表示情報にリンクした当初は第２の情報を無償でリンクすることが認められていても、その後、第２の情報をリンクするためには対価を支払うことが必要になったことが検知されことが考えられる。あるいは、対価が月に１０ドルから２０ドルに値上げされたことが検知されることが考えられる。第２の表示情報自体は削除されなくても（つまり、変化が生じていなくても）、使用条件が変化した後も第２の表示情報を使用したいと思うかもしれないが、これ以上使用したくないと思うこともあるかもしれない。そこで、例えば、第２の表示情報の利用料が一定の金額以上になった場合、又はなることが告知された場合には第２の表示情報へのリンクを削除するという条件と処理の組み合わせを該リンクに対して設定しておくと便利である。
【００９１】
また、第２の表示情報にリンクを張ることに関して契約等により許可を得ている場合において、その使用許可期限が到来することによって、第２の表示情報自体は削除されなくても（つまり、変化が生じていなくても）、第２の表示情報へのアクセスをブロックされたり、ブロックされなくても、使用が許可されていない状態で第２の表示情報の使用を継続することによって法的な問題が生じたりする場合が想定できる。この場合も第１の表示情報側で、例えば第２の表示情報へのリンクを削除する処理を実行するなどして対応する。
【００９２】
また、使用許可期限が到来していなくても期限満了となることは事前に把握できる。このように、第２の表示情報に関わる情報の変化が予見できる場合、この説明の例によると、使用許可期限の満了は予見できるので、期限満了前に、例えば第２の表示情報へのリンクを削除する処理を実行するなどして対応してもよい。契約が有償の場合、ここで説明したように、事前に対応することができることは有効である。
【００９３】
その他にも、第２の表示情報の公開範囲も第２の表示情報に付随する情報として取り扱ってもよい。例えば、ニュースサイトの中には、記事の公開から１週間は誰でも無料で閲覧できるが、１週間経過すると、有料会員にしか閲覧できなくなるサイトもある。また、社内において、管理者の意向である第２の表示情報に相当する文書データへのアクセス権が急に限定される場合がある（例えば、閲覧権限が「全員」から「マネージャーのみ」に変更されるように）。第２の表示情報にこのような変化があった場合、リンクが削除されるよう設定しておくことが望ましいこともあると考えられる。あるいは、「閲覧権限：マネージャーのみ」のような警告をリンク元の第１の表示情報に組み込む処理を行ってもよい。そうすれば、リンクをクリックしてもリンク先の情報に全員がアクセスできるわけではないことが、リンクをクリックする前にリンク元のページ内でわかる。
【００９４】
上記説明したように、本実施の形態では、設定した条件に合致する第２の表示情報の変化が検出された場合、対応する処理を実行するようにした。ただ、条件に合致するからといって、第１の表示情報を無条件に変更してよいとは限らない。そこで、第１の表示情報を変更する処理を実行する前に、コンテンツ作成者や管理者（以下、「ユーザ」という）に承認を得るようにするのが好適である。
【００９５】
設定した条件に合致する変化が第２の表示情報に生じた場合、処理制御部１７は、当該条件に関連付けられた処理を実行する前に、承認処理部１５に承認処理を実行させる。承認処理部１５は、処理制御部１７からの指示に従い、第１の表示情報を変更する処理を実行することに対する承認を要求するリクエストをユーザが使用する端末装置へ送信する。
【００９６】
承認処理部１５が、ユーザが上記リクエストに対し承認した旨を受信すると、処理制御部１７は、承認されたことに応じて該当する処理を実行する。
【００９７】
処理制御部１７が処理を実行することによって第１の表示情報が変更され、これに伴い第１ページの表示内容も変更されることになるが、表示制御部１４は、変更後の第１ページのプレビューを端末装置に表示させるよう制御する。このようにして、変更後の第１ページの表示内容をユーザに確認させることができる。
【００９８】
また、以上のようにして第１の表示情報に対する変更処理が実行されることで、第２の表示情報とのリンク関係が解消された場合、通知部１６は、第１ページで第２の表示情報を使用しなくなった旨を第２の表示情報の管理者に通知する。このように、管理者への通知機能を設けたことで、例えば、第２の表示情報の利用に代金を支払っていた場合、代金の徴収をより確実に停止させることが可能となる。
【００９９】
なお、第１の表示情報の変更後、管理者への通知を行う前に、承認処理部１５は、通知部１６が通知することに対する承認を要求するリクエストをユーザが使用する端末装置へ送信してもよい。そして、承認処理部１５が、ユーザが上記リクエストに対し承認した旨を受信すると、通知部１６は、このユーザによる承認に応じて第１の表示情報で第２の表示情報を使用しなくなった旨を第２の表示情報の管理者に通知する。
【０１００】
ところで、本実施の形態では、第１の表示情報に第２の表示情報へのリンクを設定しているが、リンクを設定せずに第２の表示情報に関する情報に差し替えるようにしてもよい。この処理について図８を用いて説明する。
【０１０１】
図８には、ここで説明する情報の差し替え処理を実行する前と後の各第１の表示情報の一例を示す図である。図８に示す第１の表示情報は、図２では第２の表示情報の一例として用いたが、図８では第１の表示情報の表示例として用いている。
【０１０２】
リンク設定部１１は、第２の表示情報で提供される情報を参照して第１の表示情報に組み込む組込情報を生成する。組込情報には、第２の表示情報の名称、アドレス情報（つまり、ＵＲＬ）、第２の表示情報を最後にアクセスした日時等を含める。
【０１０３】
そして、処理制御部１７は、リンクを設定した特定の部分３１を組込情報３２に差し替える。このようにして、第１の表示情報に対応するソースコンテンツを閲覧するユーザに対して、リンク先となる第２の表示情報に関する情報を提示することが可能となる。
【０１０４】
ところで、図２に例示するようにリンク先となる第２の表示情報に他のコンテンツ（例えば、第３の表示情報）のリンクが設定されている場合がある。リンク先監視部１２は、第２の表示情報のみならずリンク先となるターゲットコンテンツ（例えば、第３の表示情報）の変化まで監視し、処理制御部１７は、第２の表示情報及び第２の表示情報から関連付けられている各コンテンツ（第ｎの表示情報、ｎは３以上の整数）の変化に応じて第１の表示情報を変更する処理を実行するようにしてもよい。
【０１０５】
以上説明したように、本実施の形態においては、第２の表示情報に変化が生じたことを検出し、その検出した変化に対応付けした第１の表示情報を変更する処理を実行できる用意した。これにより、第２の表示情報との単なるリンク切れを通知するに留まらず、第１の表示情報に対して種々の変更を施すことで対応することが可能となる。
【０１０６】
上記説明では、表示情報としてＨＴＭＬで記述されたページデータを例にして説明した。そして、第１の表示情報は会員登録を促すページデータであり、第２の表示情報は会員登録に関する情報を提示するページデータである場合を例にして説明した。もちろん、これは一例であって、会員登録以外のサービスにも適用可能である。例えば、第１の表示情報が販売用のページデータであり、第２の表示情報が商品に関する情報を提示する場合など販売サービスに適用してもよい。
【０１０７】
また、本実施の形態では、第２の表示情報に特定の変化が生じた場合に、第１の表示情報を変更する処理を実行するが、実行する処理に付加的な処理を含めてもよい。例えば、販売サービスに適用する場合において、第２の表示情報で紹介する商品が売り切れになった場合、例えば第１の表示情報における第２の表示情報へのリンクを削除することになるが、このとき、第２の表示情報が情報提供する商品が「売り切れ」になったことを示す情報がソースコンテンツに表示されるようにしてもよい。このように、リンクの削除という第１の表示情報を変更するだけでなく、第２の表示情報に変化が生じた原因や理由を示す情報（上記例の「売り切れ」）を付加する処理を行うようにしてもよい。
【０１０８】
ＨＴＭＬで記述されたページデータに対し、時間の経過に伴い提示する情報の内容が動的に変化しうる動画データや音声データの場合、図９（ａ）に示すように、第１の表示情報に相当する動作データや音声データ全体ではなく、ある特定の部分（つまり、時間）のみに第２の表示情報のリンクを設定するようにしてもよい。また、図９（ｂ）に示すように、上記特定の部分を複数設けてもよく、更に、複数の特定の部分を設定する場合、図９（ｃ）に示すように、各特定の部分に対応づける第２の表示情報を異ならせてもよい。
【符号の説明】
【０１０９】
１０  情報処理装置、１１  リンク設定部、１２  リンク先監視部、１３  ユーザインタフェース（ＵＩ）部、１４  表示制御部、１５  承認処理部、１６  通知部、１７  処理制御部、１８  記憶部。
【図１】
2020170243.tif 000003
【図２】
2020170243.tif 000004
【図３】
2020170243.tif 000005
【図４】
2020170243.tif 000006
【図５】
2020170243.tif 000007
【図６】
2020170243.tif 000008
【図７】
2020170243.tif 000009
【図８】
2020170243.tif 000010
【図９】
2020170243.tif 000011